(57)【要約】【課題】撮影した画像を写真投稿サイトに容易に投稿することができる撮像装置を提供する。【解決手段】撮像装置１００は、被写体の像を撮影して画像データとして出力する撮像処理部１０３と、この撮像処理部１０３により撮影された画像データを記憶する記憶部であるメモリーカード１０７と、画像データを蓄積するネットワークストレージ２００及び画像データを投稿する写真投稿サイト３００の情報が記憶されたデータベース１０８と、ネットワーク５００に接続するための通信インターフェース部１１１と、通信インターフェース部１１１がネットワーク５００に接続可能なときに、データベース１０８に基づいて、このネットワーク５００に接続してメモリーカード１０７に記憶された画像データをネットワークストレージ２００に蓄積するとともに、当該ネットワークストレージ２００に蓄積した画像データを写真投稿サイト３００に仮投稿する処理部１０４とを有する。【選択図】図１
2011061294.tif 000002
【特許請求の範囲】
【請求項１】
被写体の像を撮影して画像データとして出力する撮像処理部と、
前記撮像処理部により撮影された画像データを記憶する記憶部と、
前記画像データを蓄積するネットワークストレージ及び前記画像データを投稿する写真投稿サイトの情報が記憶されたデータベースと、
ネットワークに接続するための通信インターフェース部と、
前記通信インターフェース部が前記ネットワークに接続可能なときに、前記データベースに基づいて、前記ネットワークに接続して前記記憶部に記憶された前記画像データを前記ネットワークストレージに蓄積するとともに、当該ネットワークストレージに蓄積した前記画像データを前記写真投稿サイトに仮投稿する処理部と、を有する撮像装置。
【請求項２】
Ｗｅｂ表示デバイスと接続して、前記Ｗｅｂ表示デバイスからの操作を受け付ける通信処理部を有し、
前記通信処理部は、前記Ｗｅｂ表示デバイスにより、前記画像データを仮投稿する前記写真投稿サイトの情報を取得して前記データベースに記憶するように構成された請求項１に記載の撮像装置。
【請求項３】
前記Ｗｅｂ表示デバイスは、前記記憶部に記憶された前記画像データのいずれかを前記写真投稿サイトに仮投稿して、前記情報を取得するように構成された請求項２に記載の撮像装置。
【請求項４】
前記Ｗｅｂ表示デバイスは、前記写真投稿サイトに接続して、仮投稿された前記画像データを本投稿するように構成された請求項２または３に記載の撮像装置。
【発明の詳細な説明】
【技術分野】
【０００１】
本発明は、撮像装置に関する。
【背景技術】
【０００２】
従来、ネットワーク上で、撮影依頼や写真コンテストのように、撮影依頼者からテーマが出され、それに対応する写真（画像データ）を撮影者がインターネット等を通じて投稿することができるようになっている（例えば、特許文献１）。また、最近では、無線ＬＡＮなどの通信機能を有した撮像装置があり、インターネットなどの通信回線を通じてこの撮像装置から直接、情報の取得や画像データの投稿ができるようになっている（例えば、特許文献２）。さらに、そのような撮像装置においては、撮像装置上でＷｅｂページを表示し、このＷｅｂページ上から画像データを投稿するものもあるが、撮像装置のユーザインターフェースはＷｅｂページ上からの画像データの投稿に適するものとなっていない。
【先行技術文献】
【特許文献】
【０００３】
【特許文献１】特許第４２３９５９１号公報
【特許文献２】特開２００６−７４３６６号公報
【発明の概要】
【発明が解決しようとする課題】
【０００４】
しかしながら、撮影者（画像投稿者）が、ある写真投稿サイトのあるテーマに対する写真（画像データ）を投稿する場合に、テーマの取得は自分でインターネット上の写真投稿サイトにアクセスし、検索単語を手動で入力し検索することで、自分が応えたい若しくは応えることのできるテーマを見つけなければならない。これは非常に面倒であり、欲しいテーマを見つけるのが大変な作業である。また、既に撮影済みの画像データ群の中から、テーマにマッチする画像データを見つけるのは大変なことであり、上述したような現状の撮像装置では、より良い画像データ（写真）を撮影するために撮影に集中したい場合でも、投稿のための操作が煩雑であり、撮影行動を妨げる問題がある。
【０００５】
本発明はこのような課題に鑑みてなされたものであり、撮影した画像データを容易に投稿することができる撮像装置を提供することを目的とする。
【課題を解決するための手段】
【０００６】
前記課題を解決するために、本発明に係る撮像装置は、被写体の像を撮影して画像データとして出力する撮像処理部と、この撮像処理部により撮影された画像データを記憶する記憶部と、画像データを蓄積するネットワークストレージ及び画像データを投稿する写真投稿サイトの情報が記憶されたデータベースと、ネットワークに接続するための通信インターフェース部と、この通信インターフェース部がネットワークに接続可能なときに、データベースに基づいて、ネットワークに接続して記憶部に記憶された画像データをネットワークストレージに蓄積するとともに、当該ネットワークストレージに蓄積した画像データを写真投稿サイトに仮投稿する処理部と、を有する。
【０００７】
このような撮像装置は、Ｗｅｂ表示デバイスと接続して、このＷｅｂ表示デバイスからの操作を受け付ける通信処理部を有し、通信処理部は、Ｗｅｂ表示デバイスにより、画像データを仮投稿する写真投稿サイトの情報を取得してデータベースに記憶するように構成されることが好ましい。
【０００８】
このとき、Ｗｅｂ表示デバイスは、記憶部に記憶された画像データのいずれかを写真投稿サイトに仮投稿して、この写真投稿サイトの情報を取得するように構成されることが好ましい。
【０００９】
さらに、Ｗｅｂ表示デバイスは、写真投稿サイトに接続して、仮投稿された画像データを本投稿するように構成されることが好ましい。
【発明の効果】
【００１０】
本発明に係る撮像装置を以上のように構成すると、予めデータベースに設定された情報に基づいて、この撮像装置で撮影した写真（画像データ）を、ネットワークストレージに記憶するとともに写真投稿サイトに仮投稿することができるので、投稿のための操作をすることなく写真（画像データ）の投稿を容易に行うことができ、写真の撮影に集中できる。
【図面の簡単な説明】
【００１１】
【図１】本発明に係る画像投稿システムの構成であって、投稿先選択時の接続状態を示す説明図である。
【図２】撮像装置の外観を示す説明図である。
【図３】上記撮像装置の構成を示すブロック図である。
【図４】上記撮像装置のデータベースに記憶されているテーブルのデータ構造図であって、（ａ）は投稿用登録データテーブルを示し、（ｂ）はストレージ用データテーブルを示す。
【図５】上記撮像装置において投稿先情報の取得処理を説明するためのフローチャートである。
【図６】上記画像投稿システムの構成であって、上記撮像装置での撮影時の接続状態を示す説明図である。
【図７】上記撮像装置での撮影時の処理を説明するためのフローチャートである。
【図８】上記画像投稿システムにおいて、ネットワークストレージに写真投稿サイトへの投稿機能が設定されている場合の上記撮像装置のデータベース及びこのネットワークストレージに記憶されるテーブルの構成を示す構造図であって、（ａ）は上記撮像装置のデータベースに記憶されている撮影画像データテーブルを示し、（ｂ）はネットワークストレージに記憶されるアップロード画像データテーブルを示す。
【図９】上記画像投稿システムにおいて、ネットワークストレージに写真投稿サイトへの投稿機能が設定されていない場合の上記撮像装置のデータベースに記憶される撮影画像データテーブルの構成を示す構造図である。
【図１０】上記画像投稿システムの構成であって、画像投稿時の接続状態を示す説明図である。
【図１１】上記画像投稿システムでの画像投稿時の処理を説明するためのフローチャートである。
【発明を実施するための形態】
【００１２】
［全体のシステム構成］
以下、本発明の好ましい実施形態について図面を参照して説明する。まず、図１を用いて画像投稿システムの構成について説明する。この画像投稿システムは、写真（画像データ）を撮影する撮像装置１００と、その撮像装置１００で撮影された画像データをアップロードして蓄積することのできるネットワークストレージ（サーバ）２００と、画像データの投稿先である写真投稿サイト３００と、パーソナルコンピュータや携帯電話等のＷｅｂ表示に適したデバイスであるＷｅｂ表示デバイス４００（４００Ａ，４００Ｂ）と、から構成され、これらはインターネットなどのネットワーク５００を介して相互にデータ通信可能に接続されている。ここで、Ｗｅｂ表示デバイス４００は、撮影依頼者（テーマ等を写真投稿サイト３００に投稿して写真（画像データ）を依頼する者）が利用するＷｅｂ表示デバイス４００Ａと、撮影者又は画像投稿者（その依頼を元に写真（画像データ）を撮影・投稿する者）が利用するＷｅｂ表示デバイス４００Ｂと、から構成されるが、撮影依頼者と投稿者が別々の場合にはこれらは別々の端末となるし、同じ場合には同一の端末となる。
【００１３】
この画像投稿システムにおける撮像装置１００は、後述するように、ネットワーク５００に接続された複数の写真投稿サイト３００の中から予め投稿先を選択し、選択した写真投稿サイト３００からその投稿先の情報である投稿先情報を受信して保存しておく。例えば、Ｓｏｃｉａｌ  Ｎｅｔｗｏｒｋ  Ｓｅｒｖｉｃｅ（以下、「ＳＮＳ」）やブログ、もしくは、掲示板などの写真投稿サイト名及びテーマ名等を選択し、そこから、投稿先情報として例えば、写真投稿サイト３００のＵＲＩ（Uniform Resource Identifier）やテーマ名等を保存しておく。そして、この撮像装置１００で写真を撮影した際には、図２に示すように、撮像装置１００の表示部１０９上にその投稿先の情報１０９Ｂを撮影した画像１０９Ａと共に表示する。また、撮像装置１００がネットワーク５００に接続された時には、撮影した画像データを全て自動的にネットワークストレージ２００にアップロードして蓄積し、その投稿先情報に基づいてその全ての画像データを写真投稿サイト３００に仮投稿し、仮投稿後、投稿する画像データ（本投稿の画像データ）の選択処理を行うことができるように構成されている。
【００１４】
［撮像装置の構成］
図２に示すように、撮像装置１００は、例えば、デジタルカメラであり、レリーズボタン１０１、撮影時や撮影後の画像を表示する表示部１０９を有しており、図示しない撮影モードの切り替えや撮影画像を確認する再生モード等の操作を行うことができる操作ボタン等も有している。この撮像装置１００は、図３に示すように、レンズ１０２、このレンズ１０２により結像された被写体の像を検出して電気信号として出力し、その電気信号を処理して画像信号に変換する撮像処理部１０３と、全体の動作を統括する処理部１０４と、を有して構成される。また、この撮像装置１００は、ＤＲＡＭ１０６、メモリーカード１０７及びデータベース１０８の各種記憶部を有し、その動作は記録制御部１０５により制御される。撮影時に撮像処理部１０３から出力された画像信号は、記録制御部１０５により、画像データとしてＤＲＡＭ１０６、もしくは、メモリーカード１０７に記録され、同時に、表示制御部１１０に渡され、表示部１０９に出力される。また、メモリーカード１０７等に記憶されている画像データも記録制御部１０５、処理部１０４、及び表示制御部１１０等を介して表示部１０９に表示することができる。
【００１５】
また、データベース１０８は、図４に示す投稿用登録データテーブル１２０を有しており、この撮像装置１００は、予め写真投稿サイト３００と接続して、画像データの投稿に必要な情報をデータベース１０８の投稿用登録データテーブル１２０に記憶するように構成されている。この投稿用登録データテーブル１２０は、写真投稿サイト３００のサイト名を管理するサイト名カラム１２０ａ、投稿先のタイトルを管理するタイトルカラム１２０ｂ、画像データを仮投稿する際の仮投稿用のＵＲＩを管理する仮投稿用ＵＲＩカラム１２０ｃ、仮投稿された画像データを選択し、この画像データを本投稿する際の本投稿用のＵＲＩを管理する本投稿用ＵＲＩカラム１２０ｄ、その写真投稿サイト３００にログインする際のログインＩＤを管理するログインＩＤカラム１２０ｅ、及び、写真投稿サイト３００にログインする際に必要なパスワードを記録するパスワードカラム１２０ｆから構成される。なお、写真投稿サイト３００と接続して画像データを投稿するために必要な情報を取得する際の操作は、この撮像装置１００に内蔵されたＵＳＢコントローラを用いたＵＳＢインターフェース、無線ＬＡＮもしくはＢｌｕｅｔｏｏｔｈ等を介して上述のＷｅｂ表示デバイス４００Ｂ（画像投稿者の端末）に接続し、このＷｅｂ表示デバイス４００Ｂからの操作で設定することができる。デジタルカメラ等の撮像装置１００は、ユーザインターフェースに対する処理能力が低いためである。また、この撮像装置１００は、無線ＬＡＮ等によりネットワーク５００に直接接続することができるように構成されており、このネットワーク５００を介してネットワークストレージ２００や写真投稿サイト３００と接続可能である。そのため、この撮像装置１００は、このような外部の装置（ＵＳＢ等で接続されるＷｅｂ表示デバイス４００Ｂや、ネットワーク５００を介して接続されるネットワークストレージ２００及び写真投稿サイト３００）とのデータの送受信を行うための、通信インターフェース（Ｉ／Ｆ）部１１１及び通信クライアントとして動作するための通信処理部１１２が設けられている。
【００１６】
また同様に、データベース１０８には、ネットワークストレージ２００にアクセスするための情報を管理するストレージ用データテーブル１２１を有しており、撮像装置１００はこの情報を用いて画像データを蓄積する。このストレージ用データテーブル１２１は、ネットワークストレージ２００のＵＲＩが記憶されるＵＲＩカラム１２１ａ、ログインＩＤが記憶されるログインＩＤカラム１２１ｂ、パスワードが記憶されるパスワードカラム１２１ｃ、及び、後述する投稿機能の有無が記憶される投稿機能カラム１２１ｄから構成される。これらの情報は、撮影者により予めこの撮像装置１００に設定される。
【００１７】
［投稿先の選択・情報取得工程］
それでは、図５を用いて、上述の画像投稿システムにおける撮像装置１００を用いて写真投稿サイト３００を選択し、その写真投稿サイト３００の情報を取得する手順について説明する。撮像装置１００をＷｅｂ表示デバイス４００Ｂに接続すると、撮像装置１００の処理部１０４は、この接続を検出して投稿先の選択モードに移行する。そして、画像投稿者は、Ｗｅｂ表示デバイス４００Ｂを操作して、写真投稿サイト３００の選択を行う。このように画像投稿者からの操作により、Ｗｅｂ表示デバイス４００Ｂ（例えば、パーソナルコンピュータ）は、ネットワーク（インターネット）５００を介して選択された写真投稿サイト３００にアクセスする（ステップＳＴ１０）、Ｗｅｂ表示デバイス４００Ｂの表示部に選択した写真投稿サイト３００を表示する。
【００１８】
次に、画像投稿者は、Ｗｅｂ表示デバイス４００Ｂを操作して、表示された写真投稿サイト３００内のテーマを選択すると、そのテーマがＷｅｂ表示デバイス４００Ｂの表示部に表示される（ステップＳＴ１１）。次に、画像投稿者は、その表示された写真投稿サイト３００のテーマに対して、この撮像装置１００のメモリーカード１０７等に記憶されている画像データの１つを選択して、一旦、仮投稿を行う（ステップＳＴ１２）。すると、Ｗｅｂ表示デバイス４００Ｂに接続されている撮像装置１００は、通信Ｉ／Ｆ部１１１を介して通信処理部１１２により、仮投稿が行われた写真投稿サイト３００に画像データを投稿する際に必要な情報であるサイト名、テーマ名、仮投稿に必要なＵＲＩ、本投稿に必要なＵＲＩ、ログインＩＤ、及び、パスワードを取得し、取得したこれらの情報を記録制御部１０５が、データベース１０８の投稿用登録データテーブル１２０に記憶し、保存する（ステップＳＴ１３）。
【００１９】
［撮影時（仮投稿）の工程］
以上のようにして、予め撮像装置１００のデータベース１０８は、選択した写真投稿サイト３００に画像データを投稿する際に必要な情報を保存することができる。そして、この撮像装置１００が、ネットワークストレージ２００と接続可能となった時、撮影された画像データをデータベース１０８の投稿用登録データテーブル１２０に予め記憶されている情報に基づいて写真投稿サイト３００に仮投稿する。そこで、次に、図６〜図９を用いて、この撮像装置１００により撮像した画像データを仮投稿する工程について説明する。
【００２０】
図６及び図７に示すように、画像投稿者は、撮像装置１００を使用して撮影を実施すると（ステップＳＴ２０）、その画像が例えばＪＰＥＧ形式の画像データとしてメモリーカード１０７に書き出される。そして、この撮像装置１００の処理部１０４は、通信Ｉ／Ｆ部１１１が無線ＬＡＮ等によりネットワーク５００を介してネットワークストレージ２００と通信可能であることを検出すると（ステップＳＴ２１）、この処理部１０４は、通信処理部１１２に指示し、通信処理部１１２は、その撮影した画像データをネットワークストレージ２００に送信する（ステップＳＴ２２）。この時、撮像装置１００の処理部１０４は、ストレージ用データファイル１２１の投稿機能カラム１２１ｄを参照して、ネットワークストレージ２００が写真投稿サイト３００への投稿機能を有しているか否かを判断する（ステップＳＴ２３）。
【００２１】
このネットワークストレージ２００が写真投稿サイト３００への投稿機能を有している場合、処理部１０４は、通信処理部１１２及び通信Ｉ／Ｆ部１１１を介して、撮像装置１００のデータベース１０８に記憶されている投稿用登録データテーブル１２０の情報を画像データと共にネットワークストレージ２００に送信する（ステップＳＴ２４）。すると、ネットワークストレージ２００は、撮像装置１００から送信された画像データを保存すると共に、写真投稿サイト３００の情報として、撮像装置１００から送られた仮投稿に必要なＵＲＩ、写真投稿サイトにログインする際に必要なログインＩＤ、および写真投稿サイトにログインする際に必要なパスワードを用いて、保存した画像データを写真投稿サイト３００に仮投稿する（ステップＳＴ２５）。ここで、撮像装置１００は図８（ａ）に示すように撮影した画像データをメモリーカード１０７に撮像画像データテーブル１３０として管理している。この撮像画像データテーブル１３０のデータ構造は、画像データのファイル名を管理するファイル名カラム１３０ａ、その画像データのサイズを管理するサイズカラム１３０ｂ、その画像データの撮影日時を管理する撮影日時カラム１３０ｃ、及び、その画像データがネットワークストレージ２００に送信されたか否かを識別するためのストレージＵＰカラム１３０ｄを有している。また、ネットワークストレージ２００は、図８（ｂ）に示すように、アップロード画像データテーブル１３１により撮像装置１００から送信された画像データを管理している。このアップロード画像データテーブル１３１のデータ構造は、撮像装置１００から送られた画像データのファイル名を管理するファイル名カラム１３１ａ、その画像データのサイズを管理するサイズカラム１３１ｂ、その画像データの撮影日時を管理する撮影日時カラム１３１ｃ、この画像データのＵＲＩを管理するＵＲＩカラム１３１ｄ、及び、この画像データが仮投稿済みか否かを識別するための仮投稿カラム１３１ｅを有する。
【００２２】
一方、このネットワークストレージ２００が写真投稿サイト３００への投稿機能を有していない場合は、撮像装置１００の処理部１０４は、通信処理部１１２及び通信Ｉ／Ｆ部１１１を介してネットワークストレージ２００に送信した画像データにアクセスする際に必要となるＵＲＩをアップロード画像データテーブル１３１のＵＲＩカラム１３１ｄから取得して管理する（ステップＳＴ２６）。つまり、ネットワークストレージ２００は、撮像装置１００から送られた写真（画像データ）をアップロード画像データテーブル１３１で管理すると共に、その画像データのアクセスに必要なＵＲＩを撮像装置１００に返信する。そして撮像装置１００は、通信Ｉ／Ｆ部１１１及び通信処理部１１２によりそのＵＲＩを受け取ると、記録制御部１０５に渡し、記録制御部１０５はそれをデータベース１０８に保存する。ここで、このようにネットワークストレージ２００が写真投稿サイト３００への投稿機能を有していない場合には、撮像装置１００で管理するこの撮像画像データテーブル１３０（図８（ａ））は、上述で挙げたデータのみを管理するものではなく、図９で示すようなデータ構造を有する撮像画像データテーブル１３０′として管理される。この撮像画像データテーブル１３０′のデータ構造は、ファイル名カラム１３０ａ、サイズカラム１３０ｂ、撮影日時カラム１３０ｃを有する点は撮像画像データテーブル１３０と同様であり、さらに、ストレージＵＰカラム１３０ｄの代わりに、ネットワークストレージ２００にＵＰされた画像データにアクセスするために必要なＵＲＩを管理するＵＲＩカラム１３０ｅ、及び、その画像データが仮投稿した画像データであるか否かを識別するための仮投稿カラム１３０ｆを有する点が異なる。このように、撮像装置１００は、ネットワークストレージ２００に送信した画像データにアクセスする際に必要となるＵＲＩをこの撮像画像データテーブル１３０′のＵＲＩカラム１３０ｅに保存して管理する。そして、撮像装置１００の処理部１０４は、通信処理部１１２及び通信Ｉ／Ｆ部１１１を介して、ネットワークストレージ２００から取得した画像データのＵＲＩ、データベース１０８に記憶されている投稿用登録データテーブル１２０の情報である写真投稿サイト３００に仮投稿する為に必要なＵＲＩ、ログインする際に必要なログインＩＤ、及び、必要なパスワードを用いて、ネットワークストレージ２００に保存した画像データ（アクセスするためのＵＲＩ）を写真投稿サイト３００に仮投稿する（ステップＳＴ２７）。なお、撮像画像データテーブル１３０，１３０′は一つのテーブルとして構成することも可能である。
【００２３】
このようにして、撮像装置１００で撮影された画像データは、ネットワークストレージ２００に送信されて蓄積される。そして、このネットワークストレージ２００で管理されている画像データは、予め撮像装置１００に記憶された投稿用登録データテーブル１２０の情報に基づいて、一旦、写真投稿サイト３００に仮投稿されるようになっている。そのため、画像投稿者は、撮影した画像データ毎に、写真投稿サイト３００を選択して送信する必要がないので手間が省ける。
【００２４】
ここで、撮像装置１００からネットワークストレージ２００に送信される画像データは、同じ画像データが送信されないようにするため、撮像装置１００の処理部１０４は、画像データをネットワークストレージ２００に送信する際に、撮像画像データテーブル１３０，１３０′とアップロード画像データテーブル１３１とを比較し、重複していない画像データをネットワークストレージ２００に送信する構成となっている。あるいは、処理部１０４は、撮像画像データテーブル１３０の仮投稿カラム１３０ｆを参照し、フラグが立っている場合は、ネットワークストレージ２００に既に送信済みの画像データであると判断し、フラグの立っていない画像データをネットワークストレージ２００に送信するか、または、撮像画像データテーブル１３０のＵＲＩカラム１３０ｅに画像データのアクセスに必要なＵＲＩが記憶され管理されている場合には、既に、ネットワークストレージ２００に送信済みの画像データであることを判断し、ＵＲＩカラム１３０ｅに画像データのアクセスに必要なＵＲＩが記憶されていない画像データを送信するように構成されていてもよい。
【００２５】
［本投稿の工程］
以上のようにして、予め撮像装置１００により撮影された画像データが仮投稿されているので、この仮投稿された画像データから画像投稿者は、投稿したい画像データを選択して、本投稿を行うことができる。そこで、次に、図１０及び図１１を用いて、この撮像装置１００により撮影した画像データを本投稿する工程について説明する。まず、図１０及び図１１に示すように、仮投稿後、撮像装置１００にＵＳＢインターフェース、無線ＬＡＮもしくはＢｌｕｅｔｏｏｔｈ等を使用してＷｅｂ表示デバイス４００Ｂが接続されると、撮像装置１００の処理部１０４は、データベース１０８の投稿用登録データテーブル１２０の本投稿用のＵＲＩを管理する本投稿用ＵＲＩカラム１２０ｄ及び撮像画像データテーブル１３０′の仮投稿カラム１３０ｆ又は、ネットワーク（インターネット）５００を介してネットワークストレージ２００のアップロード画像データテーブル１３１の仮投稿カラム１３１ｅを参照して、仮投稿を行った写真投稿サイト３００をＷｅｂ表示デバイス４００Ｂの表示部に表示する（ステップＳＴ３０）。この時、画像投稿者は、Ｗｅｂ表示デバイス４００Ｂの表示部に表示された写真投稿サイト３００に、どのような画像データが仮投稿されているのかを確認することができる。そこで、その仮投稿した画像データの中から投稿したい写真を、Ｗｅｂ表示デバイス４００Ｂを操作して選択する（ステップＳＴ３１）。すると、その選択された画像データは、ネットワーク５００を介して写真投稿サイト３００に本投稿される（ステップＳＴ３２）。次に、撮像装置１００の処理部１０４は、本投稿を行った写真投稿サイト３００のテーマや画像データを投稿するのに必要な情報をデータベース１０８の投稿用登録データテーブル１２０から削除する（ステップＳＴ３３）。これにより、一度、投稿を行った写真投稿サイト３００に再度、仮投稿することを防止することができる。
【００２６】
以上のように、本実施形態の撮像装置１００は、予め画像データを投稿したい写真投稿サイト３００を選択して、その情報をデータベース１０８に保存しておく。そして、この撮像装置１００で撮像した画像データは、ネットワーク５００を介してネットワークストレージ２００に送信され、その際に、自動で予め撮像装置１００に保存された複数の写真投稿サイト３００の情報を用いて同時にその写真投稿サイト３００に画像データを送信して仮投稿される。その後、仮投稿された画像データの中からその写真投稿サイト３００に本投稿したい画像データを選択して、本投稿することができる。このため、画像投稿者が、撮影時に撮像装置１００の煩雑な操作を行うことがなく、写真撮影に集中することができる。また、この本投稿を行う場合の操作は、撮像装置１００と接続されたパーソナルコンピュータや携帯電話などのＷｅｂ表示デバイス４００Ｂを使用して、Ｗｅｂページ上で操作することができるので、操作環境は画像投稿者にとって良好であり、快適なものとなる。
【００２７】
なお、以上の説明においては、撮影した画像データは全てネットワークスストレージ２００に送信され、そのネットワークストレージ２００に送信された画像データは、予め撮像装置１００に記憶された写真投稿サイト３００の情報に基づいて、その写真投稿サイト３００に全て仮投稿するようにしているが、撮影した画像データの中から予め投稿したくない画像データを選択して、仮投稿されないように禁止するため、例えば、撮像装置１００の撮像画像データテーブル１３０，１３０′の投稿を禁止する画像データに禁止情報を書き込むようにしても良いし、その禁止する画像データをネットワークストレージ２００に送信しないように送信禁止情報を書き込むようにしても良い。これにより、画像投稿者は、投稿したくない画像データを除くこともできる。
【符号の説明】
【００２８】
１００  撮像装置    １０４  処理部    １０３  撮像処理部
１０７  メモリーカード（記憶部）    １０８  データベース
１１１  通信Ｉ／Ｆ部    １１２  通信処理部
２００  ネットワークストレージ      ３００  写真投稿サイト
４００Ａ，４００Ｂ  Ｗｅｂ表示デバイス      ５００  ネットワーク
【図１】
2011061294.tif 000003
【図２】
2011061294.tif 000004
【図３】
2011061294.tif 000005
【図４】
2011061294.tif 000006
【図５】
2011061294.tif 000007
【図６】
2011061294.tif 000008
【図７】
2011061294.tif 000009
【図８】
2011061294.tif 000010
【図９】
2011061294.tif 000011
【図１０】
2011061294.tif 000012
【図１１】
2011061294.tif 000013